(57)【要約】【課題】        無線システムにおける改善された通信方法を提供すること。【解決手段】    無線システムでは、データユニットが、ユーザ端末においてシーケンス番号に関連づけられる。データユニットは、該データユニットに関連付けられたシーケンス番号の順序に調整される。【選択図】      図３
2007522780.tif 000002
【特許請求の範囲】
【請求項１】
ネットワークインフラストラクチャ及び該ネットワークインフラストラクチャとエアインタフェースを介して通信する少なくとも１つのユーザ端末を備える無線システムにおける通信方法であって、
送信側のユーザ端末において、各論理チャネルのデータユニットにシーケンス番号を関連付ける段階を含む、ことを特徴とする方法。
【請求項２】
前記ユーザ端末においてシーケンス番号が関連付けられた少なくとも１つの論理チャネルのデータユニットを、前記ネットワークインフラストラクチャにおいて受信する段階と、
前記ネットワークインフラストラクチャのネットワーク構成要素において、各論理チャネルの前記データユニットを前記データユニットに関連付けられた前記シーケンス番号の順序に並べる段階と、
を含む、請求項１に記載の方法。
【請求項３】
前記ユーザ端末から前記ネットワークインフラストラクチャに対して、前記エアインタフェースを介して、論理チャネルの少なくとも１つのデータユニットを含む少なくとも１つの再送を実行する段階を含む、請求項１に記載の方法。
【請求項４】
１つの送信時間区間の各データユニットに１つのシーケンス番号を関連付ける段階と、
連続した送信時間区間におけるデータユニットに連続したシーケンス番号を関連付ける段階と、
を含む、請求項１に記載の方法。
【請求項５】
１つの送信時間区間のデータユニットに連続したシーケンス番号を関連付ける段階と、
連続した送信時間区間におけるデータユニットに連続したシーケンス番号を関連付ける段階と、
を含む、請求項１に記載の方法。
【請求項６】
前記ユーザ端末の媒体アクセス制御-ｅエンティティにおいて、媒体アクセス制御-ｄエンティティからの媒体アクセス制御-ｅフローをトランスポートチャネルにマッピングする段階と、
データユニットに、前記媒体アクセス制御-ｄエンティティ及び前記媒体アクセス-ｅエンティティに共通のシーケンス番号を関連付ける段階と、
を含む、請求項１に記載の方法。
【請求項７】
論理チャネルにおいて、共通の送信シーケンス番号を有する第１の媒体アクセス制御エンティティのプロトコルデータユニットの送信シーケンスに関する情報を、前記第１の媒体アクセス制御エンティティの下に位置する第２の媒体アクセス制御エンティティのヘッダに付加する段階を含む、請求項１に記載の方法。
【請求項８】
拡張されたアップリンク個別チャネルを用いて前記データユニットを送信する段階を含む、請求項１に記載の方法。
【請求項９】
ネットワークインフラストラクチャ及び該ネットワークインフラストラクチャとエアインタフェースを介して通信する少なくとも１つのユーザ端末を備える無線システムにおける通信方法であって、
媒体アクセス制御-ｄエンティティにおいて、無線リンク制御エンティティにおいて、又は、ユーザ端末の前記無線リンク制御エンティティと前記媒体アクセス制御-ｄエンティティとの間にあるエンティティにおいて、各論理チャネルのデータユニットにシーケンス番号を関連付ける段階を含む、ことを特徴とする方法。
【請求項１０】
前記無線リンク制御エンティティにおいて、前記媒体アクセス制御-ｄエンティティにおいて、又は、前記ネットワークインフラストラクチャのネットワーク構成要素の前記無線リンク制御エンティティと前記媒体アクセス制御-ｄエンティティとの間にあるエンティティにおいて、各論理チャネルの前記データユニットを並べる段階を含む、請求項９に記載の方法。
【請求項１１】
無線ネットワーク制御装置において前記データユニットを並べる段階を含む、請求項９に記載の方法。
【請求項１２】
ネットワークインフラストラクチャ及び該ネットワークインフラストラクチャとエアインタフェースを介して通信する少なくとも１つのユーザ端末を備える無線システムにおける通信方法であって、
前記ユーザ端末においてシーケンス番号が関連付けられた少なくとも１つの論理チャネルのデータユニットを、前記ネットワークインフラストラクチャにおいて受信する段階と、
前記ネットワークインフラストラクチャのネットワーク構成要素において、各論理チャネルの前記データユニットを前記シーケンス番号に従って並べる段階と、
を含む、ことを特徴とする方法。
【請求項１３】
ネットワークインフラストラクチャ及び該ネットワークインフラストラクチャとエアインタフェースを介して通信する少なくとも１つのユーザ端末を備える無線システムにおける通信方法であって、
１つの送信時間区間における論理チャネルの各データユニットに１つのシーケンス番号を関連付ける段階と、
送信側のユーザ端末において、連続した送信時間区間におけるデータユニットに連続したシーケンス番号を関連付ける段階と、
を含む、ことを特徴とする方法。
【請求項１４】
前記ユーザ端末においてシーケンス番号が関連付けられた少なくとも１つの論理チャネルのデータユニットを、前記ネットワークインフラストラクチャにおいて受信する段階と、
前記ネットワークインフラストラクチャにおいて、前記データユニットを、該ネットワークインフラストラクチャにおいて前記データユニットに関連付けられた前記シーケンス番号の順序に並べる段階と、
を含む、請求項１３に記載の方法。
【請求項１５】
前記ユーザ端末から前記ネットワークインフラストラクチャに対して、前記エアインタフェースを介して、論理チャネルの少なくとも１つのデータユニットを含む少なくとも１つの再送を実行する段階を含む、請求項１３に記載の方法。
【請求項１６】
論理チャネルにおいて、共通の送信シーケンス番号を有する第１の媒体アクセス制御エンティティのプロトコルデータユニットの送信シーケンスに関する情報を、前記第１の媒体アクセス制御エンティティの下に位置する第２の媒体アクセス制御エンティティのヘッダに付加する段階を含む、請求項１３に記載の方法。
【請求項１７】
同一の論理チャネル番号及び同一のシーケンス番号を有する媒体アクセス制御-ｄのデータユニットに対して、共通の媒体アクセス制御-ｅヘッダを与えることにより、データユニットにシーケンス番号を関連付ける段階と、
前記ネットワークインフラストラクチャにおける媒体アクセス制御-ｅエンティティにおいて、前記データユニットを、該データユニットに関連付けられたシーケンス番号の順序に並べる段階と、
を含む、請求項１３に記載の方法。
【請求項１８】
ネットワークインフラストラクチャ及び該ネットワークインフラストラクチャとエアインタフェースを介して通信する少なくとも１つのユーザ端末を備える無線システムのコンピュータプログラム製品であって、
送信側のユーザ端末においてシーケンス番号が関連付けられた各論理チャネルのデータユニットを含む、ことを特徴とするコンピュータプログラム製品。
【請求項１９】
共通の送信シーケンス番号を有する第１の媒体アクセス制御エンティティのプロトコルデータユニットの送信シーケンスに関する情報が、論理チャネルにおいて、前記第１の媒体アクセス制御エンティティの下に位置する第２の媒体アクセス制御エンティティのヘッダに付加されている、請求項１８に記載のコンピュータプログラム製品。
【請求項２０】
ネットワークインフラストラクチャ及び該ネットワークインフラストラクチャとエアインタフェースを介して通信する少なくとも１つのユーザ端末を備える無線システムのコンピュータプログラム製品であって、
媒体アクセス制御-ｄエンティティにおいて、無線リンク制御エンティティにおいて、又は、ユーザ端末の前記無線リンク制御エンティティと前記媒体アクセス制御-ｄエンティティとの間にあるエンティティにおいて、シーケンス番号が関連付けられた各論理チャネルのデータユニットを含む、ことを特徴とするコンピュータプログラム製品。
【請求項２１】
前記無線リンク制御エンティティにおいて、前記媒体アクセス制御-ｄエンティティにおいて、又は、前記ネットワークインフラストラクチャのネットワーク構成要素の前記無線リンク制御エンティティと媒体アクセス制御-ｄエンティティとの間にあるエンティティにおいて、並べられた各論理チャネルのデータユニットを含む、請求項２０に記載のコンピュータプログラム製品。
【請求項２２】
前記ネットワークインフラストラクチャの前記ネットワーク構成要素において、前記ユーザ端末から送信された各論理チャネルの前記データユニットが、該データユニットに関連付けられた前記シーケンス番号の順序に並べられる、請求項１８に記載のコンピュータプログラム製品。
【請求項２３】
媒体アクセス制御-ｄエンティティにおいて、無線リンク制御エンティティにおいて、又は、前記ユーザ端末の前記無線リンク制御エンティティと前記媒体アクセス制御-ｄエンティティとの間にあるエンティティにおいて、各論理チャネルのデータユニットがシーケンス番号に関連付けられる、請求項１８に記載のコンピュータプログラム製品。
【請求項２４】
前記媒体アクセス制御-ｄエンティティにおいて、又は、前記無線リンク制御エンティティにおいて、前記ネットワークインフラストラクチャの前記ネットワーク構成要素の前記無線リンク制御エンティティと前記媒体アクセス制御-ｄエンティティとの間にあるエンティティにおいて、各論理チャネルの前記データユニットが前記シーケンス番号に従った順序に並べられる、請求項２０に記載のコンピュータプログラム製品。
【請求項２５】
前記ユーザ端末から前記ネットワークインフラストラクチャに対して、前記エアインタフェースを介して、論理チャネルの少なくとも１つのデータユニットを含む少なくとも１つの再送が実行される、請求項１８に記載のコンピュータプログラム製品。
【請求項２６】
ネットワークインフラストラクチャ及び該ネットワークインフラストラクチャとエアインタフェースを介して通信する少なくとも１つのユーザ端末を備える無線システムのコンピュータプログラム製品であって、
各々が１つのシーケンス番号に関連付けられた、１つの送信時間区間における論理チャネルのデータユニットを備え、
連続した送信時間区間におけるデータユニットが、送信側のユーザ端末において連続したシーケンス番号に関連付けられる、ことを特徴とするコンピュータプログラム製品。
【請求項２７】
前記ユーザ端末から送信された前記データユニットが、前記ネットワークインフラストラクチャにおいて、該データユニットに関連付けられた前記シーケンス番号の順序に並べられる、請求項２６に記載のコンピュータプログラム製品。
【請求項２８】
前記ユーザ端末から前記ネットワークインフラストラクチャに対して、前記エアインタフェースを介して、論理チャネルの少なくとも１つのデータユニットを含む少なくとも１つの再送が実行される、請求項２６に記載のコンピュータプログラム製品。
【請求項２９】
ネットワークインフラストラクチャ及び該ネットワークインフラストラクチャとエアインタフェースを介して通信する少なくとも１つのユーザ端末を備える無線システムのコンピュータプログラム製品であって、
各論理チャネルのデータユニットを備えており、
該データユニットが、前記ネットワークインフラストラクチャのネットワーク構成要素において、前記ユーザ端末において該データユニットに関連付けられた前記シーケンス番号の順序に並べられる、ことを特徴とするコンピュータプログラム製品。
【請求項３０】
ネットワークインフラストラクチャ及び該ネットワークインフラストラクチャとエアインタフェースを介して通信するように構成された少なくとも１つのユーザ端末を備える無線システムのネットワーク構成要素であって、
前記ネットワークインフラストラクチャの一部分であり、
ユーザ端末においてシーケンス番号が関連付けられた各論理チャネルのデータユニットをユーザ端末から受信するように構成され、
各論理チャネルの前記データユニットを、該データユニットに関連付けられた前記シーケンス番号に従った順序に並べるように構成されている、ことを特徴とするコンピュータプログラム製品。
【請求項３１】
前記無線ネットワーク制御装置が、
各論理チャネルの前記データユニットを、媒体アクセス制御-ｄエンティティ、無線リンク制御エンティティ、又は、無線リンク制御エンティティと媒体アクセス制御-ｄエンティティとの間にあるエンティティにおける、前記シーケンス番号の順序に並べるように構成されている、請求項３０に記載のコンピュータプログラム製品。
【請求項３２】
ネットワークインフラストラクチャ及び該ネットワークインフラストラクチャとエアインタフェースを介して通信するように構成された少なくとも１つのユーザ端末を備える無線システムの無線ネットワーク制御装置であって、
ユーザ端末においてシーケンス番号に関連付けられた各論理チャネルのデータユニットを、該ユーザ端末から受信し、
各論理チャネルの前記データユニットを該データユニットに関連付けられた前記シーケンス番号に従った順序に並べる、
ように構成されている、ことを特徴とする無線ネットワーク制御装置。
【請求項３３】
ネットワークインフラストラクチャを備える無線システムのユーザ端末であって、
各論理チャネルのデータユニットにシーケンス番号を関連付けるように構成されている、ことを特徴とするユーザ端末。
【請求項３４】
論理チャネルにおいて、共通の送信シーケンス番号を有する第１の媒体アクセス制御エンティティのプロトコルデータユニットの送信シーケンスに関する情報を、前記第１の媒体アクセス制御エンティティの下に位置する第２の媒体アクセス制御エンティティのヘッダに付加する、ように構成されている、請求項３３に記載のユーザ端末。
【請求項３５】
媒体アクセス制御-ｄエンティティにおいて、無線リンク制御エンティティにおいて、又は、ユーザ端末の無線リンク制御エンティティと媒体アクセス制御-ｄエンティティとの間にあるエンティティにおいて、各論理チャネルのデータユニットにシーケンス番号を関連付ける、ように構成されている、請求項３３に記載のユーザ端末。
【請求項３６】
前記ネットワークインフラストラクチャに対して前記データユニットを送信し、
前記ネットワークインフラストラクチャからのリクエストに対する応答として、エアインタフェースを介して、論理チャネルの少なくとも１つのデータユニットを含む少なくとも１つの再送を実行する、
ように構成されている、請求項３３に記載のユーザ端末。
【請求項３７】
ネットワークインフラストラクチャ及び該ネットワークインフラストラクチャとエアインタフェースを介して通信する少なくとも１つのユーザ端末を備える無線システムであって、
ユーザ端末が、各論理チャネルのデータユニットにシーケンス番号を関連付けるように構成されている、ことを特徴とする無線システム。
【請求項３８】
前記ユーザ端末が、論理チャネルにおいて、共通の送信シーケンス番号を有する第１の媒体アクセス制御エンティティのプロトコルデータユニットの送信シーケンスに関する情報を、前記第１の媒体アクセス制御エンティティの下に位置する第２の媒体アクセス制御エンティティのヘッダに付加する、ように構成されている、請求項３７に記載の無線システム。
【請求項３９】
ネットワークインフラストラクチャ及び該ネットワークインフラストラクチャとエアインタフェースを介して通信する少なくとも１つのユーザ端末を備える無線システムであって、
ユーザ端末が、媒体アクセス制御-ｄエンティティにおいて、無線リンク制御エンティティにおいて、又は、無線リンク制御エンティティと媒体アクセス制御-ｄエンティティとの間にあるエンティティにおいて、各論理チャネルのデータユニットにシーケンス番号を関連付ける、ように構成されている、ことを特徴とする無線システム。
【請求項４０】
ネットワークインフラストラクチャ及び該ネットワークインフラストラクチャとエアインタフェースを介して通信する少なくとも１つのユーザ端末を備える無線システムであって、
ユーザ端末が、各論理チャネルのデータユニットにシーケンス番号を関連付けるように構成されており、
前記ネットワークインフラストラクチャが、シーケンス番号が関連付けられた少なくとも１つの論理チャネルの前記データユニットを受信するように構成されており、
前記ネットワークインフラストラクチャが、各論理チャネルの前記データユニットを前記シーケンス番号の順序に並べるように構成されている、ことを特徴とする無線システム。
【請求項４１】
ネットワークインフラストラクチャ及び該ネットワークインフラストラクチャとエアインタフェースを介して通信する少なくとも１つのユーザ端末を備える無線システムであって、
ユーザ端末が、
１つの送信時間区間において論理チャネルの各データユニットに１つのシーケンス番号を関連付けるように、かつ、
連続した送信時間区間におけるデータユニットに連続したシーケンス番号を関連付けるように、
構成されている、ことを特徴とする無線システム。
【発明の詳細な説明】
【技術分野】
【０００１】
本発明は、無線システムにおける、通信方法、ユーザ端末、ネットワーク構成要素及びコンピュータプログラムに関する。
【背景技術】
【０００２】
パケット交換接続を用いたＷＣＤＭＡ（ワイドバンド符号分割多元接続）又はＵＭＴＳ（Universal Mobile Telecommunication System）といったような無線システムでは、パケットは、通常、ＦＥＣ（前方誤り訂正）といったようなチャネルコーディングによって、雑音、フェージング及び干渉から保護される。保護されるにもかかわらず、パケットの受信は、失敗することがあり、このような失敗は、再送により補償することができる。再送は、パケットの受信側通信器が誤ったパケットを繰り返すようにリクエストしたときに発生する。これは、ＡＲＱ（自動再送要求）メカニズムによって実行することができる。ＨＡＲＱ（ハイブリッドＡＲＱ）を利用する受信器では、誤ったパケットと再送されたパケットとが結合されて、そのパケットの情報が適切に受信されたという確率を増加させることができる。ＯＳＩ（Open Standard Interconnection）プロトコルモデルによれば、ＨＡＲＱ機能は、ともにＲＬＣ（Radio Link Control）レイヤの下に位置するレイヤである、物理レイヤ又は無線システムのＭＡＣ（Medium Access Control）レイヤに含めることができる。このケースでは、通信されるパケットは、ＭＡＣレイヤのプロトコルデータユニット（ＰＤＵ；Protocol Data Unit）と考えることができる。
【０００３】
ＷＣＤＭＡのアップリンクでは、ＡＲＱ再送機能は、ＲＬＣレイヤにおいて実現される。送信器側（ユーザ装置）のＲＬＣは、（ＡＭ（Acknowledged Mode)）及びＵＭ（Unacknowledged Mode）の両方において、）ＲＬＣ ＰＤＵ番号を各ＲＬＣ ＰＤＵに対して付加する。次に、受信器側（ＲＮＣ）のＲＬＣが、消失したＰＤＵの（ＡＭにおける）再送をリクエストし、これらＰＤＵをＲＬＣ ＰＤＵ番号に基づいて本来の順序に並べる。ＲＬＣの下に指定された他の再送プロトコルはなく、このことは、ＲＬＣ ＰＤＵは、これらが送信されたときと同一の順序で受信される、ということを示唆している（「ホール（hole）がありうる、すなわち、いくつかのＰＤＵは、伝送誤りに起因して消失することがあるが、ＰＤＵは、ＲＬＣの下にある別のＰＤＵを通過することはできない）。再送されたＲＬＣ ＰＤＵは、ＲＬＣ ＰＤＵ番号に基づく順番に並べられる、すなわち、正しい場所に入れられる。対応するＲＬＣエンティティが、ユーザ装置及びＲＮＣに存在するので、再送は著しい遅延を発生させる。
【０００４】
いくつかの拡張（enhancement）が、ＷＣＤＭＡのアップリンクＤＣＨについて提案されてきている。これらの拡張のうちの１つは、さらに低いレイヤにおけるＡＲＱの導入、すなわち、すなわち、ユーザ端末とノードＢとの間に新しい再送プロトコルが提案されることである。このＡＲＱは、新しい物理レイヤの機能として、又は、新しいＭＡＣレイヤの機能として、定めることができる。後者のケースでは、新しいＭＡＣエンティティを（現在、アップリンクに対して、物理レイヤの機能のみが実行される）ノードＢに対して付加しなければならない。ここでは、ＡＣＫ／ＮＡＣＫの生成といったような、ＡＲＱに関連した機能のうちの少なくともいくつかを扱うために、ＭＡＣ-ｅという新しいＭＡＣエンティティが、ノードＢに付加されることを考える。ＡＲＱを、再送されるブロックが以前に送信された同一ブロックと（ソフトに[soft]）結合されるいわゆるＨＡＲＱ（ハイブリッドＡＲＱ）とすることが、提案されてきている。
【０００５】
ＷＣＤＭＡ無線システムの拡張されたアップリンク個別チャネル（Ｅ-ＤＣＨ）は、ＨＡＲＱを利用するように提案されている。しかしながら、再送に起因して、ＲＬＣレイヤのプロトコルデータユニットは、これらが送信された順序とは異なる順序で受信することができる。よって、例えば、２つの連続して送信されたデータユニットは、実際には、反対の順序で受信されることがあり、それらのデータユニットの間にデータユニットが存在することもある。
【０００６】
ＨＳＤＰＡ（High Speed Downlink Packet Access）では、ＭＡＣ-ｄレイヤの下にあるＭＡＣ-ｈｓレイヤのリオーダを行う（reodering）エンティティが、ＭＡＣ-ｈｓプロトコルデータユニットをリオーダ（reoder）する。ＭＡＣ-ｈｓプロトコルデータユニットは、さらに低い伝送シーケンス番号を有するすべてのＭＡＣ-ｈｓプロトコルデータユニットが受信されるまで、又は、タイマーが切れるまで、ＭＡＣ-ｄレイヤに移行する前に待ち行列において待つ。同様の方法により、ＷＣＤＭＡシステムの拡張されたアップリンクＤＣＨ（個別チャネル；Dedicated CHannel）が用いられるときには、ＲＮＣ（無線ネットワーク制御装置；Radio Network Controller）又はノードＢのいずれかにおいて、ＭＡＣ-ｄレイヤの下にあるＭＡＣ-ｅレイヤで再オーダリング（reodering）を実行することが提案されている。
【発明の開示】
【発明が解決しようとする課題】
【０００７】
しかしながら、再オーダリングに関連した問題がある。再オーダリングがノードＢにおいて実行される場合には、Ｉｕｂのトラフィックは、この再オーダリングがいくつかのブロックを待つ際に及び一旦これらのブロックが受信されると、バースト状態（bursty）となり、Ｉｕｂを介して多くのＰＤＵを送信する。さらには、ソフトハンドオーバ（ＳＨＯ）、すなわち、ユーザ端末が同時に幾つかのノードＢに対して接続されるケースに関連した多くの問題がある。ここで、ＳＨＯとは、幾つかのノードＢが、ユーザ端末からブロックを受信して、そのブロックを独立して認識する、ということを意味する。よって、再オーダリングは、独立して実行される。このことは、第１のノードＢは、１つのブロックをＲＮＣに届けることができる順序でそのブロックを待っていることができるが、いくつかの他のノードＢは、これと同一のブロックを既に受信できたかもしれず、したがって、ユーザ端末は、そのブロックを再送しない、という問題を有する。一方、上記他のノードＢは、上記最初のノードＢが正確に受信した、別のブロックを待っているかもしれない。よって、様々なノードＢにおいて再オーダリングする待ち行列に対するある種の調整が必要とされている。この問題を避ける１つの方法は、マクロダイバーシティコンバイニング（macro diversity combining）の後に、ＲＮＣにおいて再オーダリングを実行することである。
【０００８】
再オーダリングは、ＲＮＣにおいて、ＭＡＣ-ｄの下にある最近提案されたＭＡＣ-ｅエンティティにおいて実行することができる。（送信器側における）ＭＡＣ-ｄが、異なる論理チャネルを１つのトランスポートチャネル内に多重することができ、異なる論理チャネルが、異なる優先度（priority）を有することができるので、１つのトランスポートチャネル内に異なる優先度を有するトランスポートブロック（ＭＡＣ-ｄ ＰＤＵ）が存在することができる。異なる優先度は、別々にリオーダされるべきであり、さもなければ、優先度の高いＰＤＵが、消失した優先度の低いＰＤＵの受信を待つ必要がある。しがたって、ＭＡＣ-ｅ ＰＤＵ（ＭＡＣ-ｈｓ ＰＤＵのＱＩＤ）の各々に対して何らかの優先度情報を付加すべきであり、これが、オーバーヘッドを増加させる。
【０００９】
複数のブロックの再オーダリングは、各ブロックがヘッダを長くしシグナリングを増加させる固有のシーケンス番号を有することを要求する。ＨＳＤＰＡ通信では、幾つかのＭＡＣ-ＰＤＵを１つのＭＡＣ-ｈｓ ＰＤＵ内に多重することができ、伝送シーケンス番号（ＴＳＮ；Transmission Sequence Number）が各ＭＡＣ-ｈｓ ＰＤＵに対して関連付けられる。この後、ＭＡＣ-ｈｓ ＰＤＵは、エアインタフェースを介してさらに伝送されるトランスポートブロックに対して、マッピングされる。１つのＨＳ−ＤＳＣＨ（High Speed Downlink Shared Channel）における１つのＴＴＩ（Transmission Time Interval;送信時間区間／送信タイムインターバル）につき、１つのトランスポートブロックしか伝送されず、よって、１つのＴＴＩにつき１つのＴＳＮしか与えられない。ＭＡＣ-ｈｓ多重によって、ＭＡＣ-ｈｓ ＰＤＵは、様々なサイズにすることができる幾つかのＭＡＣ-ｄ ＰＤＵを含むことができる。したがって、ＴＳＮ及びＱＩＤ（待ち行列ＩＤ）に加えて、ＭＡＣ-ｈｓヘッダは、ＭＡＣ-ｄ ＰＤＵのサイズをこのＰＤＵの数とともに識別する。このことが、特に低データレートでの余計なオーバーヘッドを生じさせる、非常に複雑なＭＡＣ-ｈｓヘッダ構造に繋がっている。
【課題を解決するための手段】
【００１０】
本発明の目的は、無線システムにおける改善された通信方法を提供することである。
【００１１】
本発明の１つの特徴によれば、ネットワークインフラストラクチャ及びこのネットワークインフラストラクチャとエアインタフェースを介して通信する少なくとも１つのユーザ端末を含む無線システムにおける通信方法であって、送信側のユーザ端末において、各論理チャネルのデータユニットにシーケンス番号を関連付けることを含む方法が、提供される。
【００１２】
本発明の別の特徴によれば、ネットワークインフラストラクチャ及びこのネットワークインフラストラクチャとエアインタフェースを介して通信する少なくとも１つのユーザ装置を含む無線システムにおける通信方法であって、媒体アクセス制御-ｄエンティティにおいて、無線リンク制御エンティティにおいて、又は、ユーザ端末の無線リンク制御エンティティと媒体アクセス制御-ｄエンティティとの間にあるエンティティにおいて、各論理チャネルのデータユニットにシーケンス番号を関連付けることを含む方法が、提供される。
【００１３】
本発明の別の特徴によれば、ネットワークインフラストラクチャ及びこのネットワークインフラストラクチャとエアインタフェースを介して通信する少なくとも１つのユーザ端末を含む無線システムにおける通信方法であって、前記ユーザ端末においてシーケンス番号に関連付けられた少なくとも１つの論理チャネルのデータユニットを、前記ネットワークインフラストラクチャにおいて受信すること、各論理チャネルの前記データユニットを前記ネットワークインフラストラクチャのネットワーク構成要素において並べること、を含む通信方法が、提供される。
【００１４】
本発明の別の特徴によれば、ネットワークインフラストラクチャ及びこのネットワークインフラストラクチャとエアインタフェースを介して通信する少なくとも１つのユーザ端末を含む無線システムにおける通信方法であって、１つの送信時間区間における論理チャネルの各データユニットに１つのシーケンス番号を関連付けること、連続した送信時間区間におけるデータユニットに連続したシーケンス番号を送信側のユーザ端末において関連付けること、を含む通信方法が、提供される。
【００１５】
本発明の別の特徴によれば、ネットワークインフラストラクチャ及びこのネットワークインフラストラクチャとエアインタフェースを介して通信する少なくとも１つのユーザ端末を含む無線システムのコンピュータプログラム製品であって、各論理チャネルのデータユニットが送信側のユーザ端末においてシーケンス番号に関連付けられるコンピュータプログラム製品が、提供される。
【００１６】
本発明の別の特徴によれば、ネットワークインフラストラクチャ及びこのネットワークインフラストラクチャとエアインタフェースを介して通信する少なくとも１つのユーザ端末を含む無線システムのコンピュータプログラム製品であって、各論理チャネルのデータユニットが、媒体アクセス制御-ｄエンティティにおいて、無線リンク制御エンティティにおいて、又は、ユーザ端末の前記無線リンク制御エンティティと前記媒体アクセス制御-ｄエンティティとの間にあるエンティティにおいて、シーケンス番号に関連付けられる、コンピュータプログラム製品が、提供される。
【００１７】
本発明の別の特徴によれば、ネットワークインフラストラクチャ及びこのネットワークインフラストラクチャとエアインタフェースを介して通信する少なくとも１つのユーザ装置を含む無線システムのコンピュータプログラム製品であって、各々に１つのシーケンス番号が関連付けられた１つの送信時間区間における論理チャネルのデータユニットを備え、連続した送信時間区間におけるデータユニットが、送信側のユーザ端末において、連続したシーケンス番号に関連付けられている、コンピュータプログラム製品が、提供される。
【００１８】
本発明の別の特徴によれば、ネットワークインフラストラクチャ及びこのネットワークインフラストラクチャとエアインタフェースを介して通信する少なくとも１つのユーザ端末を含む通信システムにおけるコンピュータプログラム製品であって、各論理チャネルのデータユニットを備えており、該データユニットが、前記ネットワークインフラストラクチャのネットワーク構成要素において、前記ユーザ端末において該データユニットに関連付けられた前記シーケンス番号の順序に並べられる、コンピュータプログラム製品が、提供される。
【００１９】
本発明の別の特徴によれば、ネットワークインフラストラクチャ及びこのネットワークインフラストラクチャとエアインタフェースを介して通信するように構成された少なくとも１つのユーザ端末を含む無線システムのネットワーク構成要素であって、該ネットワークインフラストラクチャの一部分であり、ユーザ端末においてシーケンス番号が関連付けられた各論理チャネルのデータユニットをユーザ端末から受信するように構成されており、各論理チャネルの前記データユニットを、該データユニットに関連付けられた前記シーケンス番号に従った順序に並べるように構成されている、ネットワーク構成要素が提供される。
【００２０】
本発明の別の特徴によれば、ネットワークインフラストラクチャ及び該ネットワークインフラストラクチャとエアインタフェースを介して通信するように構成された少なくとも１つのユーザ端末を含む無線システムの無線ネットワーク制御装置であって、ユーザ装置においてシーケンス番号に関連付けられた各論理チャネルのデータユニットをユーザ端末から受信し、各論理チャネルの前記データユニットを、該データユニットに関連付けられた前記シーケンス番号に従った順序に並べるように、構成されている無線ネットワーク制御装置が、提供される。
【００２１】
本発明の別の特徴によれば、ネットワークインフラストラクチャを含む無線システムのユーザ端末であって、各論理チャネルのデータユニットにシーケンス番号を関連付けるように構成されているユーザ端末が、提供される。
【００２２】
本発明の別の特徴によれば、ネットワークインフラストラクチャ及びこのネットワークインフラストラクチャとエアインタフェースを介して通信する少なくとも１つのユーザ端末を含む無線システムであって、ユーザ端末が、各論理チャネルのデータユニットにシーケンス番号を関連付けるように構成されている、無線システムが提供される。
【００２３】
本発明の別の特徴によれば、ネットワークインフラストラクチャ及びこのネットワークインフラストラクチャとエアインタフェースを介して通信する少なくとも１つのユーザ端末を含む無線システムであって、ユーザ端末が、媒体アクセス制御-ｄエンティティにおいて、無線リンク制御エンティティにおいて、又は、無線リンク制御エンティティと媒体アクセス制御-ｄエンティティとの間にあるエンティティにおいて、各論理チャネルのデータユニットにシーケンス番号を関連付けるように構成されている、無線システムが提供される。
【００２４】
本発明の別の特徴によれば、ネットワークインフラストラクチャ及びこのネットワークインフラストラクチャとエアインタフェースを介して通信する少なくとも１つのユーザ端末を含む無線システムであって、ユーザ端末が、各論理チャネルのデータユニットにシーケンス番号を関連付けるように構成されており、前記ネットワークインフラストラクチャが、シーケンス番号が関連付けられた少なくとも１つの論理チャネルのデータユニットを受信するように、かつ、各論理チャネルの前記データユニットを前記シーケンス番号の順序に並べるように、構成されている無線システムが提供される。
【００２５】
本発明の別の特徴によれば、ネットワークインフラストラクチャ及びこのネットワークインフラストラクチャとエアインタフェースを介して通信する少なくとも１つのユーザ端末を含む無線システムであって、ユーザ端末が、１つの送信時間区間における論理チャネルの各データユニットに１つのシーケンス番号を関連付けるよう構成されており、かつ、連続した送信時間区間におけるデータユニットに連続したシーケンス番号を関連付けるように構成されている、無線システムが提供される。
【００２６】
本発明に係る、通信方法、コンピュータプログラム、ユーザ端末、無線システムの構成要素、無線ネットワーク制御装置、及び、無線システムは、幾つかの利点を有する。優先度情報が必要とされず、また、同一の送信時間区間におけるＰＤＵは固有のシーケンス番号を必要としないので、ヘッダー及びシグナリングを低減することができる。
【発明を実施するための最良の形態】
【００２７】
以下、好ましい実施形態及び添付図面を参照して、本発明をさらに詳細に説明する。
【００２８】
図１は、無線システムの構造を示す。この無線システムは、例えば、ＧＳＭ（Global System for Mobile Communications）、ＵＭＴＳ(Universal Mobile Telephone System)又はＷＣＤＭＡ（Wide-band Code Division Multiple Access）に基づくものとすることができる。
【００２９】
コアネットワークは、例えば、ＧＳＭシステムとＧＰＲＳ（General Packet Radio System）とを組み合わせた構造に対応する。ＧＳＭネットワークの構成要素は、回路交換接続の実現を担い、ＧＰＲＳネットワークの構成要素は、パケット交換接続の実現を担うが、これらネットワークの構成要素のいくつかは、両方のシステムによって共有される。
【００３０】
移動サービススイッチングセンター（Mobile Services switching Centre;ＭＳＣ）１００は、無線システムにおける回路交換シグナリングを可能にする。次に、ＳＧＳＮ（Serving ＧＰＲＳ Support Node）１０１は、パケット交換シグナリングを可能にする。この無線システムにおけるすべてのトラフィックは、ＭＣＳ１００によって制御することができる。
【００３１】
コアネットワークは、このコアネットワークと、ＰＬＭＮ（Public Land Mobile Network）又はＰＳＴＮ（Public Switched Telephone Network）といったような外部ネットワークとの間における回路交換接続を処理するＧＭＳＣ（Gateway Mobile Service switching Centre）を表す、ゲートウェイユニット１０２を有することができる。ＧＧＳＮ（Gateway GPRS Support Node）１０３は、コアネットワークと、インターネットといったような外部ネットワークとの間におけるパケット交換接続を処理する。
【００３２】
ＭＳＣ１００及びＳＧＳＮは、少なくとも１つのノードＢ１０８を制御する少なくとも１つの無線ネットワーク制御装置１０６（base station controller）を含むことができる無線アクセスネットワーク（ＲＡＮ）１０４に接続されている。無線ネットワーク制御装置１０６はまた、基地局制御装置とすることができ、ノードＢは、基地局と呼ぶことができる。ユーザ端末１１０は、エアインタフェースを介して、少なくとも１つのノードＢと通信する。
【００３３】
ユーザ端末１１０は、ＧＰＲＳ方法を用いてノードＢ１０８と通信することができる。パケット内のデータは、実際のトラフィックデータに加えて、アドレス及び制御データを含む。幾つかの接続（コネクション）は、同一の伝送チャネルを同時に用いることができる。パケットスイッチング方法は、伝送すべきデータがバースト状に生成されるようなデータ伝送に適している。かかるケースでは、伝送の全期間に対してデータリンクを割り当てる必要はなく、パケットを伝送するのにかかる時間に対してのみデータリンクを割り当てればよい。これによって、ネットワークを確立する間及びネットワークを利用する間の両方において、コストが削減され、容量が著しく節約される。この無線システムのネットワークインフラストラクチャは、通常は移動可能であるユーザ端末１１０を除く、この無線システムの他のすべての構成要素を含むものと考えることができる。
【００３４】
ユーザ端末１１０が、パケットといったような信号２００をノードＢ１０８に対して伝送するときには、ノードＢ１０８は、適切にその信号２００を受信するか、又は、受信に失敗するかのいずれかである。ノードＢ１０８又は無線ネットワーク制御装置１０６は、チェックサム（ＣＲＣ；巡回冗長検査）を計算し、そのパケットに含まれているチェックサムと、そのパケットについて計算したチェックサムとを比較する。これら２つのチェックサムが一致した場合には、このパケットは適切に受信されている。一方、これらチェックサムが一致しない場合には、受信に失敗がある。
【００３５】
図２は、再送、及び、ＰＤＵの順序に基づくその再送の効果を示す。この例では、ユーザ端末及びネットワークインフラストラクチャの両方が、ＰＤＵを記憶するためのバッファメモリを有する。第１のＰＤＵ２００は、ユーザ端末からネットワークインフラストラクチャに対して、第１のＴＴＩ（Transmission Time Interval）において、確実に（successfully）伝送されており、このことは、ネットワークインフラストラクチャからのＡＣＫ（Acknowledgement）信号２１４によって確認されている。第２のＰＤＵ２０２が伝送されてもその伝送に失敗すると、ネットワークインフラストラクチャは、ＮＡＣＫ（Not acknowledgement）信号２１６を送信する。第３のＰＤＵ２０４は、確実に伝送されて、ネットワークインフラストラクチャからＡＣＫ信号２１８を用いて確認される。第２のＰＤＵ２０２が再送されているが、再送は再び失敗して、ネットワークインフラストラクチャは、ＮＡＣＫ信号２２０を送信する。第４のＰＤＵ２０６は、確実に受信されて、ＡＣＫ信号２２２によって確認されている。第２のＰＤＵ２０２は、２回再送されて、今度はその再送は成功している。ネットワークインフラストラクチャは、ＡＣＫ信号２２４を送信する。ＰＤＵの送信は、第５のＰＤＵ２０８等についても同様に継続する。再送は、ＰＤＵを混合させ、この例では、その順序は、１、３、４、２となり、適切な順序に並べる必要があるものである。
【００３６】
図３は、例えば、ＵＭＴＳ無線システム又はＷＣＤＭＡ無線システムにおける構成要素のプロトコル構造を示す。ＯＳＩプロトコルモデルを用いると、ユーザ端末１１０は、無線リンク制御（ＲＬＣ）エンティティ３０００と、ＭＡＣ-ｄエンティティ３００２と、ＭＡＣ-ｅエンティティ３００４と、物理エンティティ３００６とを含むことができる。ユーザ端末はまた、ＲＬＣエンティティ３０００とＭＡＣ-ｄエンティティ３００２との間にエンティティ３００８を含むことができる。
【００３７】
ノードＢ１０８は、ＭＡＣ-ｅエンティティ３０２０と、物理エンティティ３０２２と、トランスポートネットワーク（ＴＮＬ）エンティティ３０２４と、フレーミングプロトコルエンティティ（Framing Protocol entity；ＦＰ）３０２６とを含むことができる。
【００３８】
無線ネットワーク制御装置１０６は、ＲＬＣエンティティ３０４０と、ＭＡＣ-ｄエンティティ３０４２と、ＭＡＣ-ｅエンティティ３０４４と、フレーミングプロトコルエンティティ（ＦＰ）３０４６と、ＴＮＬエンティティ３０４８とを含むことができる。ＲＮＣはまた、ＲＬＣエンティティ３０４０とＭＡＣ-ｄエンティティ３０４２との間にエンティティ３０４８を含むことができる。これらのエンティティは、プロセッサ及びメモリを有する電子回路によって実現される動作可能なユニット（operational unit）と考えることができる。実際の動作は、適切なコンピュータプログラムを用いて実行することができる。
【００３９】
ＯＳＩモデルのＲＬＣレイヤにおけるＲＬＣエンティティ３０００、３０４０は、ＵＭＴＳ無線システムのパケット交換接続におけるエアインタフェースを介した伝送を制御するプロトコルである。よって、ＲＬＣレイヤの重要な特徴は、例えば、フロー制御（flow control）及び誤り回復・エラーリカバリ（error recovery）である。
【００４０】
ＭＡＣ-ｄレイヤは対称的（symmetric）ではなく、ＭＡＣ-ｄエンティティ３００２、３０４２は、ユーザ端末１１０内とＲＮＣ１０６内との間においてある程度異なっている。しかしながら、エアインタフェースが、トランスポートチャネルにマッピングすることができ、順次、物理チャネルにマッピングすることができる論理チャネルを有するので、ＭＡＣ-ｄエンティティ３００２、３０４２のプロトコルは、例えば論理チャネルとトランスポートチャネルとの間における多重（マルチプレクス）を実行する。論理チャネルは、例えば、ダウンリンク（ＤＬ）ブロードキャスト制御チャネル（ＢＣＣＨ）、（ダウンリンク）ページング制御チャネル（ＰＣＣＨ）、アップリンク／ダウンリンク（ＵＬ／ＤＬ）個別制御チャネル（ＤＣＣＨ）、（ＵＬ／ＤＬ）共通制御チャネル（ＣＣＣＨ），（ＵＬ／ＤＬ）個別トラフィックチャネル（ＤＴＣＨ）、及び、単方向（unidirectional）共通トラフィックチャネル（ＣＴＣＨ）を含む。
【００４１】
ＭＡＣ-ｅレイヤは、例えば、拡張されたアップリンクＤＣＨ特別機能（enhanced DCHspecific functions）を扱うために用いることができる。ユーザ端末のＭＡＣ-ｅエンティティでは、この特別機能は、以下に説明するものを含むことができる。１つのユーザ端末につき１つのＨＡＲＱエンティティが、ハイブリッドＡＲＱプロトコルに関連した機能を扱う。通常、ＴＴＩにつき１つのＨＡＲＱ処理が実行される。ＭＡＣ-ｅヘッダは、ＭＡＣ-ｅ ＰＤＵの各々（Ｅ-ＤＣＨトランスポートブロックといったような）に対して付加することができる。このヘッダは、再オーダリングのためのシーケンス番号を含むことができる。
【００４２】
ネットワークインフラストラクチャのＭＡＣ-ｅエンティティでは、特別機能は、以下のものを含むことができる。Ｅ-ＤＣＨの高速スケジューリング（fast scheduling）は、複数のユーザ端末の間において実行される。ＭＡＣ-ｅは、１つの伝送されるＴＴＩに関して、ＨＡＲＱ動作の１つのＡＣＫ／ＮＡＣＨ信号を生成する。受信されたＭＡＣ-ｅ ＰＤＵは、受信されたＭＡＣ-ｅシーケンス番号に従ってリオーダすることができる。ＭＡＣ-ｅヘッダは除去され、ＭＡＣ-ｄ ＰＤＵが、抽出されて上記のレイヤ（ＭＡＣ-ｄ）に届けられる。
【００４３】
ユーザ端末とノードＢとの間におけるシグナリングは、物理レイヤにおいて実行される。物理エンティティ３００６、３０２０はまた、ＨＡＲＱ動作をも担う。
【００４４】
物理レイヤにおけるＴＮＬエンティティ３０２４、３０４８は、ノードＢ１０８とＲＮＣ１０６との間におけるシグナリングを実行する。フレーミングプロトコルエンティティ３０２６、３０４６は、接続フレーム番号（Connection Frame Number;ＣＦＮ）といったような物理チャネルのヘッダを扱い、このＣＦＮに従って、例えば、マクロダイバーシティコンバイニング（macro diversity combining）を実行することができる。
【００４５】
ノードＢ１０８は、データユニットの再オーダリングがこのノードＢにおいて実行される場合には、ＭＡＣ-ｄエンティティ又は別個のオーダリングエンティティを含むことができる。このケースでは、ＲＮＣは、これらのエンティティを欠いている。
【００４６】
ＲＬＣレイヤとＭＡＣ-ｄレイヤとの間におけるエンティティ３００８、３０２８、３０４８が、ＲＣＬエンティティ３０００、エンティティ３００８、３０２８、３０４８、又は、ＭＡＣ-ｄエンティティ３００２におけるユーザ端末１１０が、ＰＤＵに、伝送シーケンス番号を関連付け、ＲＣＬエンティティ３０４０、エンティティ３０４８、又は、ＭＡＣ-ｄエンティティ３０４２におけるノードＢ１０８若しくはＲＮＣ１０６が、上記伝送シーケンス番号に従った適切な順序により、ＰＤＵを再度並べる、という本方法に関連する。エンティティ３００８、３０２８、３０４８の点線は、伝送シーケンス番号（ＴＳＮ）の使用及び再オーダリングが、ＲＬＣエンティティ、ＭＡＣ-ｄエンティティにおいて、又は、ＲＬＣレイヤとＭＡＣ-ｄレイヤとの間における別々のエンティティにおいて、実行することができる、という可能性を表現している。
【００４７】
図４は、ユーザ端末におけるＲＬＣエンティティ３０００の下にあるＭＡＣ-ｄエンティティ３００２を示す。トランスポートチャネル型のスイッチングエンティティ４００が、共通トランスポートチャネルと個別トランスポートチャネルとの間における１つの指定された論理チャネルのマッピングをスイッチングすることができる。これは、無線リソースの変化に関連しているので、チャネルスイッチングは、無線リソース制御によって制御される。
【００４８】
ナンバリングエンティティ４０２において、シーケンス番号が、ネットワークインフラストラクチャに伝送されるべきＰＤＵに関連付けられる。これは、所定のウィンドウにおいて連続した複数のＰＤＵのヘッダ内に連続した番号を付加することにより実行される。このシーケンス番号の最大値がウィンドウの長さを定める。シーケンス番号を付与するために確保されたすべての番号が使用された後にあっては、番号の付与（ナンバリング）は、最初から開始される。シーケンス番号は、ＰＤＵが伝送される順序を示す。すべてのＰＤＵを異なるシーケンス番号に関連付けることに代えて、１つの送信時間区間（transmission time interval）のデータユニットの各々に対して、１つのシーケンス番号を関連付けることができ、連続した送信時間区間における関連したデータユニットに、連続したシーケンス番号を関連付けることができる。
【００４９】
Ｃ／Ｔエンティティ４０４は、複数の個別論理チャネルを１つのトランスポートチャネルに多重することができる。幾つかの論理チャネルが１つのＭＡＣ-ｄフロー又はトランスポートチャネルに多重される場合には、各論理チャネルのＣ／Ｔ識別が、様々な論理チャネルのＰＤＵのヘッダ内に付加される。Ｃ／Ｔ識別は、通常、ＰＤＵのヘッダにおける４ビットのチャネル番号である。ＴＦＣ（Transfer Format Combination）エンティティ４０６は、無線リソース制御による制御のもと、トランスポートフォーマット（transport format）及びトランスポートフォーマットコンビネーション選択（transport format combination selection）を実行する。暗号化エンティティ４０８では、透過モードデータ（transparent mode data）を暗号化することができる。
【００５０】
図４に示した場所に代えて、ナンバリングエンティティ４０２は、Ｃ／Ｔエンティティ４０４の上にあるＭＡＣ-ｄエンティティ３００２に、又は、本実施形態にかかる最後の動作エンティティとしてのＲＬＣエンティティ３０００に、存在することができる。ナンバリングエンティティ４０２は、Ｃ／Ｔエンティティの下に置くことができるが、このケースでもまた、各論理チャネルは、別々のナンバリングを有しなければならない。よって、ナンバリングエンティティ４０２は、最初に、論理チャネル番号と同一であるＣ／Ｔフィールドを検出し、次に、そのチャネルにシーケンス番号を関連付けることができる。ナンバリングエンティティ４０２は、各論理チャネルにおいて別々にＰＤＵに対するナンバリングを実行することができる、すなわち、各チャネルは、互いに異なる連続した番号を有する。
【００５１】
別の実施形態によれば、ナンバリングエンティティ４０２は、このエンティティに固有である別個のエンティティとすることができ、このナンバリングエンティティ４０２は、ＲＬＣエンティティ３０００とＭＡＣ-ｄエンティティ３００２との間に存在することができる。
【００５２】
図５は、ＲＮＣにおいてＲＬＣエンティティ３０４０の下にあるＭＡＣ-ｄエンティティ３０４２を示す。Ｃ／Ｔエンティティ５００は、１以上の個別チャネルがユーザ端末における１つのトランスポートチャネル上に多重されている場合には、ＰＤＵのヘッダにおけるＣ／Ｔフィールドに従って、１つのトランスポートチャネルを幾つかの個別論理チャネルにデマルチプレクス（demultiplex）する。このエンティティにおいてＣ／Ｔヘッダは除去される。
【００５３】
オーダリングエンティティ５０２は、個別のエンティティとして、又は、ＲＬＣエンティティ３０００若しくはＭＡＣ-ｄエンティティ３００２の一部分としての、ユーザ端末のナンバリングエンティティ４０２によって与えられたシーケンス番号に従った順序により、受信したＰＤＵを編成する。各論理チャネルは、例えばＷＣＤＭＡ無線システム及びＵＭＴＳ無線システムでは、１つの優先度のみしか有していないので、その優先度をシグナリングする必要がなく、これによって、シグナリングのオーバーヘッドにおけるスペースを節約することができる。再オーダリングの待ち行列は、各論理チャネルごとに別々に用いることができ、このことは、優先度の高いＰＤＵが、受信及び再送における失敗により遅延した優先度の低いＰＤＵを待つ必要がない、という利点を有する。再オーダリングの待ち行列は、メモリによって実現することができる。１つのウィンドウ及び少なくとも１つのタイマーメカニズム（ＨＳＤＰＡにおけるものと類似した）を、ＰＤＵの待ち時間を制限し、かつ、遅延したＰＤＵを扱うために、用いることもできる。オーダリングエンティティ５０２は、シーケンス番号を除去し、ＲＬＣレイヤに対して適切な順序でＰＤＵを転送することができる。
【００５４】
解読（復号）エンティティ５０４において、暗号化を解除することができる。トランスポートチャネル型スイッチングエンティティ５０６は、ユーザ端末のトランスポートチャネル型スイッチングエンティティ４００に対して反応的な（responsive）動作を実行する。
【００５５】
ＰＤＵの再オーダリングが、ＲＮＣにおいて実行される場合には、マクロダイバーシティコンバイニング（ＭＤＣ）を利用することができる。ＭＤＣでは、様々なノードＢからの信号（ＰＤＵ）は、ＲＮＣの接続フレーム番号（connection frame number）に基づいて結合することができる。この結合は、例えば、選択結合方法（selection combining method）を用いて実行することができる。これにより、一定のＩｕｂトラフィック、遅延のないＭＤコンバイニング、幾つかの再オーダリング待ち行列を同期させる必要がないこと等といったいくつかの利点が得られる。
【００５６】
図６は、ＭＡＣ-ｄエンティティにおけるオーダリングのブロック図を示す。このケースでは、１つのユーザ端末につき、及び、１つのＴＴＩにつき、幾つかのＥ-ＤＣＨトランスポートチャネルが存在する。ＭＡＣ-ｅエンティティ３０４４が、Ｅ-ＤＣＨトランスポートチャネル６００の各々を１つのＭＡＣ-ｄフロー６０２にマッピングするので、ＭＡＣ-ｅエンティティ３０４４は必ずしも必要ではない。しかしながら、点線矢印は、ＭＡＣ-ｅ多重が用いられるケースを示している。そうでなければ、各トランスポートチャネルは、１つのＭＡＣ-ｄフロー内にマッピングされる。ＤＣＨチャネル６０４及びＭＡＣ-ｅフロー６０２は、ＭＡＣ-ｄデマルチプレクサ６０６（Ｃ／Ｔエンティティ５００に対応する）に入力され、このＭＡＣ-ｄデマルチプレクサ６０６は、これらを論理チャネル６０８にデマルチプレクスする。各論理チャネル６０８におけるＰＤＵは、オーダリングユニット６１０（オーダリングエンティティ５０２に対応する）において、適切な順序に並べる・調整する・アレンジする（arrange）ことができる。オーダリングされたＰＤＵは、この後、ＲＬＣエンティティ３０４０に入力される。これにより、１つのＴＴＩ内の異なる論理チャネル又は異なるトランスポートチャネルごとに、異なる誤り保護をすることができる。
【００５７】
ＭＡＣ-ｄエンティティ３０４２に存在することに代えて、オーダリングエンティティ５０２は、ＭＡＣ-ｄエンティティ３０４２及びＲＬＣエンティティ３０４０から分離した別個のエンティティとして存在することも可能である。或いはまた、オーダリングエンティティ５０２は、ＲＬＣ３０４０内に存在することができる。
【００５８】
再オーダリングは、ＲＮＣにおける論理チャネルのデマルチプレクス処理の後に、すなわち、ＲＬＣの前の動作として、又は、ＲＬＣにおける最初の動作のうちの１つとして、実行することができるので、再オーダリングのためのＲＬＣメモリを再利用することも可能である。再オーダリングをＲＬＣエンティティの動作として同一のプロセッサにおいて実行することができる。
【００５９】
再オーダリングは、ノードＢ１０８において実行することもできる。この場合、機能は上述したものと同一であるが、ＭＡＣ-ｄ３０２０エンティティは、ＭＡＣ-ｄエンティティ３０４２に置き換えることができ、ＭＡＣ-ｅエンティティ３０２０は、ＭＡＣ-ｅエンティティ３０４４に置き換えられ、ＭＡＣ-ｄエンティティ３０２０の上にあるエンティティ３０２８は、エンティティ３０４８に置き換えられる。エンティティ３０２８はまた、ノードＢにおけるＲＬＣエンティティの一部分と考えることもできる。
【００６０】
図７は、ＲＬＣレイヤ７００と物理レイヤ７０４との間における非透過（non-transparent）データフローを示す。ユーザ端末のＲＬＣレイヤは、このレイヤより上位のレイヤから受信したデータユニットから、ＲＬＣデータユニット７０６〜７０８を形成する。ユーザ端末のＭＡＣ-ｄレイヤ７０２では、シーケンス番号７１０〜７１２が、ＭＡＣ-ｄデータユニット７１４〜７１６に付加される。また、Ｃ／Ｔ識別番号７１８〜７２０は、異なる論理チャネルのデータユニット（幾つかの論理チャネルが１つのトランスポートチャネルに多重される場合）に付加することができ、データブロック７２２〜７２４が形成される。これらのデータブロックは、物理レイヤに供され、この物理レイヤでは、ＣＲＣチェックサム７２６がデータブロック７２２〜７２４の各々に関連付けられる。
【００６１】
ネットワークインフラストラクチャの物理レイヤ７０４（通常はノードＢ）において、データブロック７２２〜７２４が受信された後、関連付けられたＣＲＣチェックサム７２６が、受信品質のチェックのために、計算されたＣＲＣチェックサムと比較される。ネットワークインフラストラクチャのＭＡＣ-ｄレイヤ７０２（通常はＲＮＣ）において、各論理チャネルのＭＡＣ-ｄデータブロック７１４〜７１６が、ＴＳＮ番号７１０〜７１２に従った適切な順序により並べられる。論理チャネルは、可能な（possible）Ｃ／Ｔ識別番号７１８〜７２０に従ってデマルチプレクスされる。この後、データユニットは、先に進んで、ＲＬＣレイヤ７００及びこれより上位のレイヤに供される。
【００６２】
図８は、ＲＬＣレイヤ８００と物理レイヤ８０６との間におけるＭＡＣ-ｅレイヤ８０４を介した非透過データフローを示す。ユーザ端末のＲＬＣレイヤは、このレイヤより上位のレイヤから受信したデータユニットから、ＲＬＣデータユニット８０８〜８１０を形成する。ユーザ端末のＭＡＣ-ｄレイヤ８０２において、シーケンス番号８１２〜８１４がＭＡＣ-ｄデータユニット８１６〜８１８に付加される。また、幾つかの論理チャネルが１つのトランスポートチャネルに多重される場合には、Ｃ／Ｔ識別番号８２０〜８２２が、異なる論理チャネルのデータユニットに付加され、データブロックが形成される。この後、データブロック８２４〜８２６は、ＭＡＣ-ｅレイヤ８０４に供され、このＭＡＣ-ｅレイヤ８０４は、１つのＴＴＩにおいて送信されたデータブロック８２４〜８２６に対してＭＡＣ-ｅヘッダ８２８を付加することができ、データブロック８２４〜８２６を結合して１つのトランスポートブロック８３０にする。この方法により、オーバーヘッドを削減することができる。物理レイヤ８０６では、ＣＲＣチェックサム８３２がトランスポートブロック８３０に関連付けられる。
【００６３】
ネットワークインフラストラクチャの物理レイヤ８０６（通常はノードＢ）において、トランスポートブロックが受信された後、関連付けられたＣＲＣチェックサム８３２が、受信の品質のチェックのために、計算されたＣＲＣチェックサムと比較される。ＭＡＣ-ｅレイヤ８０４では、トランスポートブロック８３０が、データブロック８２４〜８２６に分割され、可能な（possible）ＭＡＣ-ｅヘッダが、ＭＡＣ-ｄレイヤ８０２のためのデータユニット８２４〜８２６を形成するために、除去される。ネットワークインフラストラクチャのＭＡＣ-ｄレイヤ８０２（通常はＲＮＣ）において、各論理チャネルのＭＡＣ-ｄデータユニット８１６〜８１８が、ＴＳＮ番号８１２〜８１４に従った適切な順序により並べられる。論理チャネルは、可能な（possible）Ｃ／Ｔ識別番号８２０〜８２２に従ってデマルチプレクスされる。この後、データユニットは、先に進んで、ＲＬＣレイヤ８００及びこれより上位のレイヤに供される。
【００６４】
各論理チャネルは、別々にナンバリングすることができる。幾つかの論理チャネルを１つのトランスポートチャネルにＭＡＣ-ｄ多重することが用いられる場合には、論理チャネルの番号（ＭＡＣ-ｄヘッダにおけるＣ／Ｔフィールド）が、論理チャネルを区別するために用いられる。他の方法としては、論理チャネルは、用いられるトランスポートチャネルに基づいて分離することができる。ＷＣＤＭＡ無線システムにおける優先度は、各論理チャネルが与えられた優先度を有するように、実現される。ここで、再オーダリングを目的としてシーケンス番号付けが、各論理チャネルについて別々に実行される場合には、優先度を明示的にシグナリングする必要はなく、これにより、インバンド（inband）シグナリングのオーバーヘッドを節約することができる。
【００６５】
ＭＡＣ-ｅ多重を用いない場合には、ＭＡＣ-ｅヘッダをＭＡＣ-ｄ ＰＤＵ（例えばＰＤＵのサイズ及び番号を表す）に付加する必要はない。この後、（選択的な）Ｃ／Ｔフィールド及びＴＳＮ番号を有するＭＡＣ-ｄ ＰＤＵは、単に、チャネルコーディング及び送信のために物理レイヤに通過させることができる。
【００６６】
図９は、１つのトランスポートチャネルに多重される２つの伝送される論理チャネルを示す。図示しているように、ＭＡＣ-ｄ ＰＤＵ９００〜９０２は、第１の論理チャネル９０８において、シーケンス番号９０４〜９０６を用いて別々にナンバリングされる。一例として、第１のＰＤＵ９００は、シーケンス番号ＴＳＮ＝１を有することができ、第２のＰＤＵは、シーケンス番号ＴＳＮ＝２を有することができる。同様のことが、ＰＤＵ９１０がシーケンス番号９１２に関連付けられた第２の論理チャネル９１４についても当てはまる。論理チャネルは、Ｃ／Ｔ識別番号９１６〜９１８によって相互に区別される。１つのＴＴＩ内に幾つかのＰＤＵが存在するので、伝送シーケンス番号８００〜８０２は、例えば、８ビットを有することができる。しかしながら、各ＭＡＣ-ｄ ＰＤＵに対して固有のＭＡＣ-ｅヘッダが与えられる場合には、優先度識別番号が必要とされないので、これ（８ビット）は、ＭＡＣ-ｅナンバリングについて必要とされるものよりも小さい。
【００６７】
図１０Ａは、ＭＡＣ-ｄ伝送シーケンス番号を短くする可能性を示す。例えば、同一の伝送シーケンス番号１０００を、第１のＴＴＩ１０１０内で伝送される論理チャネルにおけるＭＡＣ-ｄ ＰＤＵ１００２〜１００４のすべてについて用いることができる。異なる論理チャネル１００６、１００８では、異なるシーケンス番号１０００、１０１２を用いることができ、論理チャネルは、Ｃ／Ｔ識別番号１０１４〜１０１６によって相互に区別される。連続したＴＴＩ１０１０、１０１８では、連続したシーケンス番号１０００〜１０１２、１０２０〜１０２４を用いることができる。
【００６８】
図１０Ｂは、図１０Ａに示したものと類似したケースにおいて、ヘッダを圧縮する可能性を示す。同一の伝送シーケンス番号を有するＭＡＣ-ｄ ＰＤＵのヘッダを結合して、１つのＭＡＣ-ｅヘッダ、又は、ＭＡＣ-ｄエンティティの下に（直に）存在するＭＡＣエンティティのいくつかの他のヘッダとすることにより、論理チャネルにおいてＭＡＣオーバーヘッドを削減することができる。一般的に、同一の１つの論理チャネルに関連し、かつ、１つの共通の伝送シーケンス番号を有するＰＤＵが、問題となっているときには、第１のＭＡＣエンティティのＰＤＵのヘッダを、結合させて、この第１のＭＡＣエンティティの下に位置する第２のＭＡＣエンティティの１つのヘッダにすることができる。よって、第１のＭＡＣエンティティのＰＤＵの伝送シーケンスに関する情報は、第１のＭＡＣエンティティのヘッダにこの情報を付加することなく、第２のＭＡＣエンティティのヘッダに付加することができる。例えば、ＭＡＣ-ｄ ＰＤＵ１００２（ＳＤＵ１及びＳＤＵ２）は、１つの論理チャネル及び伝送シーケンスに関連する１つの共通のヘッダ１０５０を有することができる。同様の方法により、ＰＤＵ１００４（ＳＤＵ３及びＳＤＵ４）は、共通のヘッダ１０５２を有することができ、ＰＤＵ１００５（ＳＤＵ５及びＳＤＵ６）は、共通のヘッダ１０５４を有することができる。
【００６９】
ＭＡＣ-ｄエンティティは、トランスポートフォーマットコンビネーション選択を作成するので、ＭＡＣ-ｄエンティティは、いずれのＭＡＣ-ｄ ＰＤＵが同一のＴＴＩ内で伝送されるのかを認識している。１つのＴＴＩ内のＭＡＣ-ｄ ＰＤＵは、順序を変更することができず、再オーダリングは異なるＴＴＩ内のＰＤＵについてのみ必要とされるので、１つのＴＴＩについては１つの伝送シーケンスのみで充分である。このケースでは、４〜５ビットの伝送シーケンス番号で充分なものとすることができる（４ビットは、１０ｍｓのＴＴＩについて充分なものとすることができ、５ビットは、２ｍｓのＴＴＩのＴＴＩについて必要とされるものとすることができる）。
【００７０】
図１１は、論理チャネルにおいて区別（分離）を実行しないので、ＭＡＣ-ｄレイヤ多重が用いられない場合、すなわち、ＰＤＵＳ１１０２、１１０４、１１０６、１１２２、１１３２、１１３４、１１４２、１１５２がＣ／Ｔフィールドを含まない場合の、Ｅ-ＤＣＨチャネルにおける伝送を示す。この例では、同一のシーケンス番号が、１つのＴＴＩ内で伝送されるすべてのＭＡＣ-ｄ ＰＤＵについて用いられており、連続したシーケンス番号が連続したＴＴＩにおいて用いられている。よって、最初のＴＴＩ１１００では、ＰＤＵ１１０２〜１１０６が伝送され、これらすべてがシーケンス番号ＴＳＮ＝１を有することができる。第２のＴＴＩ１１２０では、ＰＤＵ１１２２が伝送され、このＰＤＵ１１２２は、シーケンス番号ＴＳＮ＝２を有することができる。第３のＴＴＩ１１３０では、ＰＤＵ１１３２、１１３４が伝送され、これらの両方がシーケンス番号ＴＳＮ＝３を有することができる。第４のＴＴＩ１１４０では、ＰＤＵ１１４２、１１４４が伝送され、これらの両方がシーケンス番号ＴＳＮ＝４を有することができる。第５のＴＴＩ１１５０では、ＰＤＵ１１５２が伝送され、このＰＤＵ１１５２は、シーケンス番号ＴＳＮ＝５を有することができる。
【００７１】
図１２は、論理チャネルにおいて区別（分離）を実行しないので、ＭＡＣ-ｄレイヤ多重が用いられない場合、すなわち、ＰＤＵ１２０２〜１２０６、１２２２、１２３２、１２３４、１２４２、１２４４、１２５２がＣ／Ｔフィールドを含まない場合の、Ｅ-ＤＣＨチャネルにおける伝送を示す。また、この例では、同一のシーケンス番号が、１つのＴＴＩ内で伝送される同一の論理チャネルにおけるすべてのＭＡＣ-ｄ ＰＤＵについて用いられており、連続したシーケンス番号が連続したＴＴＩにおいて用いられている。よって、第１のＴＴＩ１２００では、ＰＤＵ１２０２〜１２０６が伝送され、ＰＤＵ１２０２、１２０４が同一の論理チャネル（Ｃ／Ｔ＝１）に属し、これらのシーケンス番号は、同一なもの（ＴＳＮ＝１）とすることができる。ＰＤＵ１１０６は、Ｃ／Ｔ番号としてＣ／Ｔ＝２を有する異なる論理チャネルに属しており、これはまた、シーケンス番号ＴＳＮ＝１をも有することができる。第２のＴＴＩ１２２０では、ＰＤＵ１２０２が伝送され、このＰＤＵ１２０２は、シーケンス番号ＴＳＮ＝２、及び、論理チャネル番号Ｃ／Ｔ＝１を有することができる。第３のＴＴＩ１２３０では、ＰＤＵ１２３２、１２３４が伝送される。ＰＤＵ１２３２は、第３のＴＴＩにおいて伝送されるので、論理チャネル番号Ｃ／Ｔ＝１、及び、シーケンス番号ＴＳＮ＝３を有することができる。ＰＤＵ１２３４は、論理チャネル番号（ＴＴＩ１２２０では、論理チャネル番号Ｃ／Ｔ＝２を有するＰＤＵの伝送はなされない）に従って第２のＴＴＩにおいて伝送されるので、論理チャネル番号Ｃ／Ｔ＝２及びシーケンス番号ＴＳＮ＝２を有することができる。第４のＴＴＩ１２４０では、ＰＤＵ１２４２、１２４４が伝送され、これらの両方が、論理チャネル番号Ｃ／Ｔ＝１及びシーケンス番号ＴＳＮ＝４を有することができる。第５のＴＴＩ１２５０では、ＰＤＵ１２５２が伝送され、このＰＤＵ１２５２は、論理チャネル番号Ｃ／Ｔ＝２及びシーケンス番号ＴＳＮ＝３を有することができる。
【００７２】
図１３は、本発明の一実施形態のフロー図及びコンピュータプログラムを示す。ステップ１３００では、各論理チャネルのデータユニットが、送信側のユーザ端末において、シーケンス番号に関連付けられる。各論理チャネルのデータユニットは、媒体アクセス制御−ｄエンティティにおいて、無線リンク制御エンティティにおいて、又は、無線リンク制御エンティティと媒体アクセス制御−ｄエンティティとの間における或るエンティティにおいて、シーケンス番号に関連付けることができる。
【００７３】
図１４は、本方法の一実施形態のフロー図を示す。ステップ１４００では、ユーザ端末においてシーケンス番号に関連付けられた少なくとも１つの論理チャネルのデータユニットが、ネットワークインフラストラクチャにおいて受信される。ステップ１４０２では、各論理チャネルのデータユニットが、ネットワークインフラストラクチャのネットワーク構成要素において並べられる。
【００７４】
図１５は、本方法の一実施形態のフロー図及びコンピュータプログラムを示す。ステップ１５００では、１つの送信時間区間における論理チャネルの各データユニットが、１つのシーケンス番号に関連付けられている。ステップ１５０２では、連続した送信時間区間内のデータユニットが、送信側のユーザ端末において連続したシーケンス番号に関連付けられている。
【００７５】
図１６は、本方法の一実施形態のフロー図及びコンピュータプログラムを示す。ステップ１６００では、各論理チャネルのデータユニットが、ネットワークインフラストラクチャのネットワーク構成要素において順番に並べられている。この並べることは、ユーザ端末においてデータユニットに関連付けられたシーケンス番号に従って実行される。
【００７６】
以上、添付した図面に従った例を参照して本発明を説明したが、本発明が、上記例に限定されず、添付した特許請求の範囲の技術的範囲内において幾つかの方法により変更することができるものである、ということは、明らかである。
【図面の簡単な説明】
【００７７】
【図１】図１は、無線システムを示す。
【図２】図２は、ＰＤＵの順序に対するＨＡＲＱ処理の効果を示す。
【図３】図３は、上記無線システムのＯＳＩモデルを示す。
【図４】図４は、ユーザ端末におけるＭＡＣ-ｄエンティティを示す。
【図５】図５は、無線ネットワーク制御装置におけるＭＡＣ-ｄエンティティを示す。
【図６】図６は、上記無線ネットワーク制御装置における再オーダリングのブロック図を示す。
【図７】図７は、異なるレイヤの間におけるデータフローを示す。
【図８】図８は、異なるレイヤの間におけるデータフローを示す。
【図９】図９は、１つのトランスポートチャネルに多重された２つの伝送される論理チャネルを示す。
【図１０Ａ】図１０Ａは、１つの共通シーケンス番号に関連付けられた１つの送信時間区間を有する幾つかのＰＤＵを示す。
【図１０Ｂ】図１０Ｂは、１つのシーケンス番号に関連付けられた１つの送信時間区間を有する幾つかのＰＤＵを示す。
【図１１】図１１は、Ｅ-ＤＣＨチャネルにおけるＰＤＵを示す。
【図１２】図１２は、Ｅ-ＤＣＨチャネルにおけるＰＤＵを示す。
【図１３】図１３は、本方法のフロー図を示す。
【図１４】図１４は、本方法のフロー図を示す。
【図１５】図１５は、本方法のフロー図を示す。
【図１６】図１６は、本方法のフロー図を示す。
【図１】
2007522780.tif 000003
【図２】
2007522780.tif 000004
【図３】
2007522780.tif 000005
【図４】
2007522780.tif 000006
【図５】
2007522780.tif 000007
【図６】
2007522780.tif 000008
【図７】
2007522780.tif 000009
【図８】
2007522780.tif 000010
【図９】
2007522780.tif 000011
【図１０Ａ】
2007522780.tif 000012
【図１０Ｂ】
2007522780.tif 000013
【図１１】
2007522780.tif 000014
【図１２】
2007522780.tif 000015
【図１３】
2007522780.tif 000016
【図１４】
2007522780.tif 000017
【図１５】
2007522780.tif 000018
【図１６】
2007522780.tif 000019
【手続補正書】
【提出日】平成17年12月14日(2005.12.14)
【手続補正１】
【補正対象書類名】特許請求の範囲
【補正対象項目名】全文
【補正方法】変更
【補正の内容】
【特許請求の範囲】
【請求項１】
ネットワークインフラストラクチャ及び該ネットワークインフラストラクチャとエアインタフェースを介して通信する少なくとも１つのユーザ端末を備える無線システムにおける通信方法であって、
媒体アクセス制御エンティティにおいて、各論理チャネルのデータユニットにシーケンス番号を関連付ける段階を含む、ことを特徴とする方法。
【請求項２】
前記ユーザ端末においてシーケンス番号が関連付けられた少なくとも１つの論理チャネルのデータユニットを、前記ネットワークインフラストラクチャにおいて受信する段階と、
前記ネットワークインフラストラクチャのネットワーク構成要素において、各論理チャネルの前記データユニットを該データユニットに関連付けられた前記シーケンス番号の順序に並べる段階と、
を含む、請求項１に記載の方法。
【請求項３】
前記ユーザ端末から前記ネットワークインフラストラクチャに対して、前記エアインタフェースを介して、論理チャネルの少なくとも１つのデータユニットを含む少なくとも１つの再送を実行する段階を含む、請求項１に記載の方法。
【請求項４】
１つの送信時間区間の各データユニットに１つのシーケンス番号を関連付ける段階と、
連続した送信時間区間におけるデータユニットに連続したシーケンス番号を関連付ける段階と、
を含む、請求項１に記載の方法。
【請求項５】
１つの送信時間区間のデータユニットに連続したシーケンス番号を関連付ける段階と、
連続した送信時間区間におけるデータユニットに連続したシーケンス番号を関連付ける段階と、
を含む、請求項１に記載の方法。
【請求項６】
前記ユーザ端末の媒体アクセス制御-ｅエンティティにおいて、媒体アクセス制御-ｄエンティティからの媒体アクセス制御-ｅフローをトランスポートチャネルにマッピングする段階と、
データユニットに、前記媒体アクセス制御-ｄエンティティ及び前記媒体アクセス-ｅエンティティに共通のシーケンス番号を関連付ける段階と、
を含む、請求項１に記載の方法。
【請求項７】
論理チャネルにおいて、共通の送信シーケンス番号を有する第１の媒体アクセス制御エンティティのプロトコルデータユニットの送信シーケンスに関する情報を、前記第１の媒体アクセス制御エンティティの下に位置する第２の媒体アクセス制御エンティティのヘッダに付加する段階を含む、請求項１に記載の方法。
【請求項８】
拡張されたアップリンク個別チャネルを用いて前記データユニットを送信する段階を含む、請求項１に記載の方法。
【請求項９】
前記無線リンク制御エンティティにおいて、前記媒体アクセス制御エンティティにおいて、又は、前記ネットワークインフラストラクチャのネットワーク構成要素の前記無線リンク制御エンティティと前記媒体アクセス制御エンティティとの間にあるエンティティにおいて、各論理チャネルの前記データユニットを並べる段階を含む、請求項１に記載の方法。
【請求項１０】
無線ネットワーク制御装置において前記データユニットを並べる段階を含む、請求項１に記載の方法。
【請求項１１】
ネットワークインフラストラクチャ及び該ネットワークインフラストラクチャとエアインタフェースを介して通信する少なくとも１つのユーザ端末を備える無線システムにおける通信方法であって、
前記ユーザ端末の媒体アクセス制御エンティティにおいてシーケンス番号が関連付けられた少なくとも１つの論理チャネルのデータユニットを、前記ネットワークインフラストラクチャにおいて受信する段階と、
前記ネットワークインフラストラクチャのネットワーク構成要素の媒体アクセス制御エンティティにおいて、各論理チャネルの前記データユニットを前記シーケンス番号に従って並べる段階と、
を含む、ことを特徴とする方法。
【請求項１２】
ネットワークインフラストラクチャ及び該ネットワークインフラストラクチャとエアインタフェースを介して通信する少なくとも１つのユーザ端末を備える無線システムにおける通信方法であって、
１つの送信時間区間における論理チャネルの各データユニットに１つのシーケンス番号を関連付ける段階と、
送信側のユーザ端末において、連続した送信時間区間におけるデータユニットに連続したシーケンス番号を関連付ける段階と、
を含む、ことを特徴とする方法。
【請求項１３】
前記ユーザ端末においてシーケンス番号が関連付けられた少なくとも１つの論理チャネルのデータユニットを、前記ネットワークインフラストラクチャにおいて受信する段階と、
前記ネットワークインフラストラクチャにおいて、前記データユニットを、該ネットワークインフラストラクチャにおいて前記データユニットに関連付けられた前記シーケンス番号の順序に並べる段階と、
を含む、請求項１２に記載の方法。
【請求項１４】
前記ユーザ端末から前記ネットワークインフラストラクチャに対して、前記エアインタフェースを介して、論理チャネルの少なくとも１つのデータユニットを含む少なくとも１つの再送を実行する段階を含む、請求項１２に記載の方法。
【請求項１５】
論理チャネルにおいて、共通の送信シーケンス番号を有する第１の媒体アクセス制御エンティティのプロトコルデータユニットの送信シーケンスに関する情報を、前記第１の媒体アクセス制御エンティティの下に位置する第２の媒体アクセス制御エンティティのヘッダに付加する段階を含む、請求項１２に記載の方法。
【請求項１６】
同一の論理チャネル番号及び同一のシーケンス番号を有する媒体アクセス制御-ｄのデータユニットに対して、共通の媒体アクセス制御-ｅヘッダを与えることにより、データユニットにシーケンス番号を関連付ける段階と、
前記ネットワークインフラストラクチャにおける媒体アクセス制御-ｅエンティティにおいて、前記データユニットを、該データユニットに関連付けられたシーケンス番号の順序に並べる段階と、
を含む、請求項１２に記載の方法。
【請求項１７】
ネットワークインフラストラクチャ及び該ネットワークインフラストラクチャとエアインタフェースを介して通信する少なくとも１つのユーザ端末を備える無線システムのコンピュータプログラム製品であって、
ユーザ端末の媒体アクセス制御エンティティにおいて、各論理チャネルのデータユニットにシーケンス番号を関連付けることを含む、ことを特徴とするコンピュータプログラム製品。
【請求項１８】
共通の送信シーケンス番号を有する第１の媒体アクセス制御エンティティのプロトコルデータユニットの送信シーケンスに関する情報が、論理チャネルにおいて、前記第１の媒体アクセス制御エンティティの下に位置する第２の媒体アクセス制御エンティティのヘッダに付加されている、請求項１７に記載のコンピュータプログラム製品。
【請求項１９】
各論理チャネルのデータユニットが、前記ネットワークインフラストラクチャのネットワーク構成要素の前記媒体アクセス制御エンティティにおいて並べられる、請求項１７に記載のコンピュータプログラム製品。
【請求項２０】
前記ネットワークインフラストラクチャの前記ネットワーク構成要素において、前記ユーザ端末から送信された各論理チャネルの前記データユニットが、該データユニットに関連付けられた前記シーケンス番号の順序に並べられる、請求項１７に記載のコンピュータプログラム製品。
【請求項２１】
媒体アクセス制御-ｄエンティティにおいて、無線リンク制御エンティティにおいて、又は、前記ユーザ端末の前記無線リンク制御エンティティと前記媒体アクセス制御-ｄエンティティとの間にあるエンティティにおいて、各論理チャネルのデータユニットがシーケンス番号に関連付けられる、請求項１７に記載のコンピュータプログラム製品。
【請求項２２】
前記媒体アクセス制御-ｄエンティティにおいて、又は、前記無線リンク制御エンティティにおいて、前記ネットワークインフラストラクチャの前記ネットワーク構成要素の前記無線リンク制御エンティティと前記媒体アクセス制御-ｄエンティティとの間にあるエンティティにおいて、各論理チャネルの前記データユニットが前記シーケンス番号に従った順序に並べられる、請求項１７に記載のコンピュータプログラム製品。
【請求項２３】
前記ユーザ端末から前記ネットワークインフラストラクチャに対して、前記エアインタフェースを介して、論理チャネルの少なくとも１つのデータユニットを含む少なくとも１つの再送が実行される、請求項１７に記載のコンピュータプログラム製品。
【請求項２４】
ネットワークインフラストラクチャ及び該ネットワークインフラストラクチャとエアインタフェースを介して通信する少なくとも１つのユーザ端末を備える無線システムのコンピュータプログラム製品であって、
各々が１つのシーケンス番号に関連付けられた、１つの送信時間区間における論理チャネルのデータユニットを備え、
連続した送信時間区間におけるデータユニットが、送信側のユーザ端末において連続したシーケンス番号に関連付けられる、ことを特徴とするコンピュータプログラム製品。
【請求項２５】
前記ユーザ端末から送信された前記データユニットが、前記ネットワークインフラストラクチャにおいて、該データユニットに関連付けられた前記シーケンス番号の順序に並べられる、請求項２４に記載のコンピュータプログラム製品。
【請求項２６】
前記ユーザ端末から前記ネットワークインフラストラクチャに対して、前記エアインタフェースを介して、論理チャネルの少なくとも１つのデータユニットを含む少なくとも１つの再送が実行される、請求項２４に記載のコンピュータプログラム製品。
【請求項２７】
ネットワークインフラストラクチャ及び該ネットワークインフラストラクチャとエアインタフェースを介して通信する少なくとも１つのユーザ端末を備える無線システムのコンピュータプログラム製品であって、
前記ネットワークインフラストラクチャのネットワーク構成要素の媒体アクセス制御エンティティにおいて、各論理チャネルのデータユニットを、前記ユーザ端末において該データユニットに関連付けられた前記シーケンス番号の順序に並べることを含む、ことを特徴とするコンピュータプログラム製品。
【請求項２８】
ネットワークインフラストラクチャ及び該ネットワークインフラストラクチャとエアインタフェースを介して通信するように構成された少なくとも１つのユーザ端末を備える無線システムのネットワーク構成要素であって、
前記ネットワークインフラストラクチャの一部分であり、
ユーザ端末の媒体アクセス制御エンティティにおいてシーケンス番号が関連付けられた各論理チャネルのデータユニットを、ユーザ端末から受信するように構成され、
各論理チャネルの前記データユニットを、媒体アクセス制御エンティティにおいて該データユニットに関連付けられた前記シーケンス番号に従った順序に並べるように構成されている、ことを特徴とするコンピュータプログラム製品。
【請求項２９】
ネットワークインフラストラクチャ及び該ネットワークインフラストラクチャとエアインタフェースを介して通信するように構成された少なくとも１つのユーザ端末を備える無線システムの無線ネットワーク制御装置であって、
ユーザ端末の媒体アクセス制御エンティティにおいてシーケンス番号に関連付けられた各論理チャネルのデータユニットを、該ユーザ端末から受信し、
各論理チャネルの前記データユニットを、媒体アクセス制御エンティティにおいて該データユニットに関連付けられた前記シーケンス番号に従った順序に並べる、
ように構成されている、ことを特徴とする無線ネットワーク制御装置。
【請求項３０】
ネットワークインフラストラクチャを備える無線システムのユーザ端末であって、
媒体アクセス制御エンティティにおいて各論理チャネルのデータユニットにシーケンス番号を関連付けるように構成されている、ことを特徴とするユーザ端末。
【請求項３１】
論理チャネルにおいて、共通の送信シーケンス番号を有する第１の媒体アクセス制御エンティティのプロトコルデータユニットの送信シーケンスに関する情報を、前記第１の媒体アクセス制御エンティティの下に位置する第２の媒体アクセス制御エンティティのヘッダに付加する、ように構成されている、請求項３０に記載のユーザ端末。
【請求項３２】
前記ネットワークインフラストラクチャに対して前記データユニットを送信し、
前記ネットワークインフラストラクチャからのリクエストに対する応答として、エアインタフェースを介して、論理チャネルの少なくとも１つのデータユニットを含む少なくとも１つの再送を実行する、
ように構成されている、請求項３０に記載のユーザ端末。
【請求項３３】
ネットワークインフラストラクチャ及び該ネットワークインフラストラクチャとエアインタフェースを介して通信する少なくとも１つのユーザ端末を備える無線システムであって、
ユーザ端末が、媒体アクセス制御エンティティにおいて、各論理チャネルのデータユニットにシーケンス番号を関連付けるように構成されている、ことを特徴とする無線システム。
【請求項３４】
前記ユーザ端末が、論理チャネルにおいて、共通の送信シーケンス番号を有する第１の媒体アクセス制御エンティティのプロトコルデータユニットの送信シーケンスに関する情報を、前記第１の媒体アクセス制御エンティティの下に位置する第２の媒体アクセス制御エンティティのヘッダに付加する、ように構成されている、請求項３３に記載の無線システム。
【請求項３５】
ネットワークインフラストラクチャ及び該ネットワークインフラストラクチャとエアインタフェースを介して通信する少なくとも１つのユーザ端末を備える無線システムであって、
ユーザ端末が、媒体アクセス制御エンティティにおいて、各論理チャネルのデータユニットにシーケンス番号を関連付けるように構成されており、
前記ネットワークインフラストラクチャが、シーケンス番号が関連付けられた少なくとも１つの論理チャネルの前記データユニットを受信するように構成されており、
前記ネットワークインフラストラクチャが、各論理チャネルの前記データユニットを前記シーケンス番号の順序に並べるように構成されている、ことを特徴とする無線システム。
【請求項３６】
ネットワークインフラストラクチャ及び該ネットワークインフラストラクチャとエアインタフェースを介して通信する少なくとも１つのユーザ端末を備える無線システムであって、
ユーザ端末が、
１つの送信時間区間において論理チャネルの各データユニットに１つのシーケンス番号を関連付けるように、かつ、
連続した送信時間区間におけるデータユニットに連続したシーケンス番号を関連付けるように、
構成されている、ことを特徴とする無線システム。
【国際調査報告】
2007522780.tif 000020
2007522780.tif 000021
2007522780.tif 000022
2007522780.tif 000023